(57)【特許請求の範囲】
【請求項１】
複数の物品収納区画を備えた物品収納容器の複数を載置した物品保管棚と、前記物品収納容器を物品保管位置の物品保管棚の前面から突出した物品投入または物品ピッキング位置の間を移動する付勢手段とを有し、物品投入識別情報または物品ピッキング識別情報によって指定したいずれか１個の指定物品収納区画が位置する物品収納容器を前記物品保管棚の前面から突出させ、突出した物品収納区画が複数である場合に、前記の指定物品収納区画を除く物品収納区画の開口部を閉鎖する蓋体を備え、前記指定物品収納区画が前記物品収納容器の先頭の物品収納区画である場合に、前記蓋体の移動を阻止する蓋体固定手段を有したことを特徴とする物品保管装置。
【請求項２】
前記物品収納容器は蓋体を載置して移動し、前記蓋体は前記先頭の物品収納区画を閉鎖し、先頭に隣接する物品収納区画に開口部を有していることを特徴とする請求項１記載の物品保管装置。
【発明の詳細な説明】
【技術分野】
【０００１】
本発明は、各種物品を仕分けて収納すると共に、収納した物品を誤りなくピッキングすることが可能な物品保管装置に関する。
様々な物品を種別毎に分類して保管すると共に、保管した物品の必要個数を正確に速やかにピッキングすることが、医療機関での医薬品をはじめとする様々な医療用材料の管理、機器の組み立て工程での部品の管理等の様々な分野で行われている。
これらの分野では、物品の保管、あるいはピッキングの間違いによって重大な問題が発生する可能性がある。
このため、誤りがない正確な物品の保管とピッキングが求められている。
本発明の物品保管装置は、機械部品の保管、薬剤等の医療用材料の保管等の様々な分野に適用することが可能であるが、以下の説明においては医療用材料の保管とピッキングを例に挙げて説明する。
【背景技術】
【０００２】
病院における入院患者へ投与する薬剤等の医療用材料は、医師の指示に基づいて薬剤師、看護師が、スタッフステーション等に設置した保管棚からピッキングした後に処置に用いたり、各患者への投与を行っている。
医療従事者の業務は多岐に亘っており、医療用材料の管理業務に係る負担を軽減し、円滑に業務が遂行できるようにするための様々な提案が行われている。
【０００３】
例えば、医薬品を収容する複数のカセットを載置可能なトレーを収納するための収納棚と、前記トレー上のカセットに収容されている医薬品または医薬品群の少なくとも一方を示す識別情報を認識する認識手段と、前記認識手段によって認識された前記識別情報に基づいて、前記収納棚におけるトレー収納位置を特定する特定手段とを有し、前記特定手段によって特定されたトレー収納位置を指示する収納位置指示手段を設けて、正確なピッキングを可能とした医薬品収納装置を提案している（例えば、特許文献１参照）。
【先行技術文献】
【特許文献】
【０００４】
【特許文献１】特開２００１−２５８９６６号公報
【発明の概要】
【発明が解決しようとする課題】
【０００５】
特許文献１に記載の医薬品収納装置は、各医薬品を識別情報に基づいて収納位置を特定するものであるので正確な医薬品のピッキングが期待できる。しかし、患者に投与する医薬品や処置に使用する医療材料は多種多様であって、病棟の各診療科において様々な医薬品、医療材料を常備することが求められている。このため、設置面積が限られたスタッフステーションに設置が可能で、効率的な医薬品保管装置への要求が高まっている。
本発明は、設置面積が小さく、大量の物品を効率的で正確な保管とピッキングが可能な物品保管装置を提供することを課題とするするものである。
【課題を解決するための手段】
【０００６】
本発明は、複数の物品収納区画を備えた物品収納容器の複数を載置した物品保管棚と、前記物品収納容器を物品保管位置の物品保管棚の前面から突出した物品投入または物品ピッキング位置の間を移動する付勢手段とを有し、物品投入識別情報または物品ピッキング識別情報によって指定したいずれか１個の指定物品収納区画が位置する物品収納容器を前記物品保管棚の前面から突出させ、突出した物品収納区画が複数である場合に、前記の指定物品収納区画を除く物品収納区画の開口部を閉鎖する蓋体を備え、前記指定物品収納区画が前記物品収納容器の先頭の物品収納区画である場合に、前記蓋体の移動を阻止する蓋体固定手段を有した物品保管装置である。
また、前記物品収納容器は蓋体を載置して移動し、前記蓋体は前記先頭の物品収納区画を閉鎖し、先頭に隣接する物品収納区画に開口部を有した前記の物品保管装置である。
【発明の効果】
【０００７】
本発明の物品保管装置は、装着した複数の物品収納容器を複数の物品収納区画に分離すると共に、物品の投入およびピッキング時には、１個の物品収納容器の特定の物品収納区画の開口部の１個のみを開放可能としたので、物品収納容器の数の少なくとも２倍の物品収納区画を設けることができる。したがって、多種類の物品の物品投入および物品ピッキングが可能であるとともに、１個の物品収納区画の開口部のみを開放することで、物品投入および物品ピッキング時の誤りを防止することが可能である信頼性が大きくて効率的な物品の保管が可能となる。
【図面の簡単な説明】
【０００８】
【図１】図１は、本発明の物品保管装置の一例を説明する図であり、正面図である。
【図２】図２は、図１を紙面の右方向から見た側面図である
【図３】図３は、本発明の物品保管装置の主要構成部分である物品保管棚の構造を説明する図であり、図３Ａは、図１においてＡ−Ａ線で切断した断面図である。また、図３Ｂは、図３ＡのＢ−Ｂ線で切断した断面図である。
【図４】図４は、本発明の物品収納容器、および蓋体を説明する図であり、図４Ａは、物品収納容器の上面から見た平面図である。図４Ｂは、物品収納容器上に載置する蓋体を説明する図である。図４Ｃは、蓋体をＣ−Ｃ線で切断した断面を説明する図である。図４Ｄは、物品収納容器に蓋体を装着した状態での図４ＢのＥ−Ｅ線での断面を説明する図である。
【図５】図５は、本発明の物品保管装置の動作を順に説明する図であり、図４Ｂで示すＤ−Ｄ線での断面を説明する図である。図５Ａは、物品の投入、ピッキングの開始時を説明する図である。
【図６】図６は、図５で示したものと同様に物品保管装置の動作の他の例を順に説明する図である。
【発明を実施するための形態】
【０００９】
以下に図面を参照して本発明を説明する。
図１は、本発明の物品保管装置の一例を説明する図であり、正面図である。また、図２は、図１をＡ−Ａ線で切断した断面図である
本発明の物品保管装置１００は、複数個の物品収納容器１２０を装着した物品保管棚１０３を有している。この例で示す物品保管棚１０３には、２４個の物品収納容器１２０を備えている。各物品収納容器には、それぞれを独立して物品保管棚１０３から突出および収納する付勢手段(図示せず)を装着している。
付勢手段には、空気圧式、電動式、ボールねじによるもの等の各種の直線状付勢手段を用いることができる。具体的には、物品収納容器の底部外面を空気圧で動作するロッドレスシリンダのスライダー、あるいは電磁力を利用したリニアモーター等に装着することで構造が簡単で確実な動作が期待できる。
【００１０】
また、各物品収納容器１２０の前面には、透明なガラス、プラスチック等の窓１２０ａを設けることで、内部の状態の確認を容易に行うことができる。
物品保管装置１００上部には、操作表示装置１０５、入出力装置１０７を備えている。
操作表示装置１０５は、物品投入作業および物品ピッキング作業情報を表示するとともに、物品投入作業、物品のピッキング作業の開始、終了をはじめとする各種指示の入力手段、音声、信号音による指示、警告等を行う指示警告手段を備えている。
【００１１】
入出力装置１０７は、物品保管装置の各物品収納容器の物品収納区画への物品の指定をはじめとする物品保管の管理に関する情報を記録媒体、通信回線によって制御装置（図示しない）への登録する手段、作業日時、物品保管装置の各物品収納容器に収納した物品の個数、投入、ピッキングした物品の個数をはじめとした物品保管に関する様々な情報の印刷機能等をはじめとした入出力機能を備えている。
【００１２】
また、物品容器１０９等を載置する作業台１１１上には、物品投入あるいは物品ピッキング情報をはじめとする作業情報、各物品の識別情報等を読取る光学式、無線式等の情報入力手段１１３を備えている。
物品保管棚１０３の下段１１５には、制御装置、バックアップ用電源（いずれも図示しない)等の機器類を備えている。また、付勢手段として空気圧等の流体圧による機器を用いた場合には圧縮空気等を供給するする圧縮機、圧縮空気タンク（いずれも図示しない)を備えている。
【００１３】
物品の収納時には、物品の搬送台車１１２から作業者が物品を取り出して物品識別情報を情報入力手段１１３によって読み取って作業を開始する。前記物品識別情報で特定する物品保管装置である場合には、制御装置（図示せず）は、物品識別情報に基づいて特定した物品収納容器に結合した付勢手段（図示せず）を付勢する。その結果、１個の物品収納容器のみを開口部を有する蓋体と共に物品保管棚１０３の前面から突出する。
同時に、前記制御装置は、操作表示装置１０５に、物品の名称、外観の写真，投入する個数等を表示するとともに、音声によっても、投入する個数を「２個、２個・・・」と言うように報知する。これによって、作業者が個数を誤って投入することを確実に防ぐことができる。
【００１４】
一方、物品のピッキングの場合には、物品ピッキングリスト等に記載の物品識別情報を情報入力手段１１３によって読み取ることで、物品の投入時とは逆に、開口した物品収納区画から操作表示装置１０５の物品の名称、個数等の表示、および音声による報知を確認しながら作業を行うことで誤りがないピッキングを行うことができる。
【００１５】
また、本発明の物品保管装置では、物品の投入、あるいは物品のピッキングを行う物品収納区画が、物品保管棚から最初に突出する収納区画である場合には、物品保管棚１０３から先端の物品収納区画のみを開口した状態で突出することで、先端の物品収納区画のみへの物品の投入、または物品のピッキングを実現することができる。
作業者は開口した物品収納区画に対して所定の個数の物品を投入、あるいは物品のピッキングの完了後に、床面等に配置した完了信号入力スイッチ１１７から完了信号を入力する。
【００１６】
また、上記のように、所定の個数の投入またはピッキングの後に、完了信号入力スイッチで完了信号を入力する方法に限らず、物品を１個投入、または１個ピッキングする毎に完了信号入力スイッチで完了信号を入力することで、収納作業入力表示装置１０５には投入、あるいはピッキングした個数を減算して、残個数を表示、あるいは残個数を音声で知らせるようにすることで、より誤りが生じる可能性が小さい物品の投入、あるいはピッキング作業を選択することもできる。
【００１７】
収納物品を各収納区画からピッキングする場合にも、物品の投入時と同様に、物品ピッキング情報をＲＦＩＤタグ、光学式等の物品ピッキング情報タグを識別情報読み取り手段１１３によって読み取り、制御手段（図示せず）に送信する。
制御手段は、読み取った前記物品識別情報に対応する物品を収納した物品収納区画のみを物品保管棚から突出する様に動作信号を送ることで誤りがないピッキングが実現できる。
【００１８】
図３は、本発明の物品保管装置の主要構成部分である物品保管棚の構造を説明する図であり、図３Ａは、図１においてＡ−Ａ線で切断した断面図である。また、図３Ｂは、１個の物品収容容器の図３ＡのＢ−Ｂ線で切断した断面図である。
物品保管棚１０３には、複数個の物品収納容器１２０を装着している。各物品収納容器１２０には、それぞれを独立して物品保管棚１０３から突出および収納する付勢手段１３０を装着している。
図３では、付勢手段１３０として、空気圧で動作するロッドレスシリンダを用いた例を示している。付勢手段１３０は、物品保管棚１０３の構成部材に固定している。付勢手段１３０のスライダー１３２と物品収納容器１２０との底面とを結合することで付勢手段１３０によって物品収納容器１２０を直線的な往復運動を行うことができる。
また、図３で示した例では、物品収納容器１２０には、物品保管棚１０３の正面側から二つの物品収納区画１２２ａ、１２２ｂを備えており、それぞれの区画に対して個別に物品の収納、および物品のピッキングを独立して行うことを可能としている。
【００１９】
物品収納容器１２０の上部には、蓋体１４０を配置している。蓋体１４０には、物品収納容器１２０の上面に載置すると共に、物品収納容器の長手方向の側壁の外面と接触する側壁部１４２を設けている。側壁部１４２は、物品収納容器１２０と相対的に移動する際には、物品収納容器１２０の側壁の外面がガイドとなって、蓋体１４０の脱落等を防止すると共に蓋体の円滑な移動を実現できる。
また、物品保管棚１０３の最奥部（紙面の右）には、蓋体の移動を阻止する蓋体固定手段１３４を設けている。
【００２０】
蓋体固定手段１３４としては、物品収納容器１２０の上部に載置した蓋体１４０に設けた係合穴に、空気圧で動作する付勢手段１３５のピストンに連結した固定ピン１３６、あるいは電磁ソレノイドに連結した固定ピンを突出することによって固定するものを挙げることができる。
また、固定ピン１３６の先端に取り付けた磁石１３８の磁力を利用して蓋体１４０を固定するもの、固定ピンに代えて電磁石を配置（図示せず）して、電磁石の磁力によって蓋体を固定するもの等を挙げることができる。
また、磁力を用いて蓋体を固定する場合には、蓋体として保磁力が小さな軟磁性材料を用いる場合に限らず、合成樹脂材料等の非磁性体材料の蓋体に磁力の作用する位置のみに軟磁性材料を取り付けてもよい。
【００２１】
蓋体固定手段１３４が動作すると、付勢手段１３０が物品収納容器１２０を正面側へ移動する様に付勢した場合にも、蓋体１４０は、物品収納容器１２０と共に移動することはなく、物品収納容器１２０のみが移動する。
物品保管棚１０３から、物品収納容器１２０の先端の物品収納区画１２２ａのみが突出する場合に蓋体固定手段１３４を動作させて蓋体１４０の移動を防止すると、物品保管棚１０３から突出した先頭の物品収納部の物品収納区画１２２ａのみへの物品の投入、あるいは物品のピッキングが可能となる。
【００２２】
図３Ｂは、図３ＡのＢ−Ｂ線の位置での一つの物品収納容器とその保持構造の一実施例を説明する図である。
物品収納容器１２０は、底面の中心を付勢手段１３０のスライダー１３２と結合しており、スライダーの中心線に対称に２本のスライドレール１２４を設けている。スライドレール１２４のアウターメンバー１２６を物品保管棚の構成部材側に取り付けるとともに、インナーメンバー１２８を物品収納容器１２０の底面に取り付けることで、物品収納容器１２０が位置ずれを起こすことなく円滑な動作を実現することができる。
【００２３】
図４は、本発明の物品収納容器、および蓋体を説明する図であり、図４Ａは、物品収納容器の上面から見た平面図である。
図４Ｂは、物品収納容器上に載置する蓋体を説明する図である。
図４Ｃは、蓋体をＣ−Ｃ線で切断した断面を説明する図である。
図４Ｄは、物品収納容器に蓋体を装着した状態での図４ＢのＥ−Ｅ線での断面を説明する図である。
図４Ａに、物品収納容器の平面図を示すように、物品収納容器１２０は、物品保管装置の正面側から複数の物品収納区画１２２ａ、１２２ｂを有し、その間に区画壁１２４を有している。また、図４Ｂには、物品収納容器１２０上に載置する蓋体１４０の平面図を示しており、図４Ｃは、図４ＢのＣ−Ｃ線の断面図を示し、図４Ｄは、図４ＢのＤ−Ｄ線の断面図を示している。
蓋体１４０には、物品の収納、ピッキング時に利用する開口部１４２を有しており、図３と共に説明した蓋体固定手段（図３の１３４）の固定ピン（図３の１３６）と係合する係合穴１４５を有している。
【００２４】
また、物品収納容器１２０と蓋体１４０との関係の一例を、図４ＢにおけるＥ−Ｅ線の断面図を図４Ｄに示すように、蓋体１４０は、物品収納容器１２０の長手方向の壁面の外面の表面に沿って直角に折れ曲がった側壁部１４０ａを有している。
したがって、蓋体固定手段（図示しない）で蓋体１４０を固定せずに、物品収納容器１２０と蓋体１４０とを一体にして、物品収納容器１２０と共に蓋体に設けた開口部１４２を物品保管棚から前面に突出させる場合には、物品収納容器１２０の側壁と蓋体１４０の側壁部１４０ａがガイドとなる。したがって、物品容器１２０の上面を円滑に移動して蓋体１４０が物品収納容器１２０からのずれ等が生じることはなく安定な動作が実現できる。
また、蓋体固定手段（図示しない）で蓋体１４０を固定ピンで蓋体を固定して、物品収納容器１２０のみを物品保管棚から前面に突出させる場合にも動作が安定する。
【００２５】
図５は、本発明の物品保管装置の動作を順に説明する図であり、図４Ｂで示すＤ−Ｄ線での断面を説明する図である。
図５Ａは、物品の投入、ピッキングの開始時を説明する図である。
仮想線で示す物品保管棚１０３に、物品収納容器１２０を完全に収納している状態を説明する図である。物品収納容器１２０には、２個の物品収納区画１２２ａ、１２２ｂを有している。それぞれの間には区画壁１２４が存在し、両者を区分している例を示している。付勢手段１３０は作動しておらず、また、蓋体固定手段１３４の固定ピン（図示せず）は蓋体１４０を固定していない状態である。
【００２６】
図５Ｂは、先頭の物品収納区画のみが物品収納棚から突出する状態を説明する図である。図５Ｃは、先頭の物品収納区画への物品の投入、物品のピッキングを完了した後の状態を説明する図である。
図５Ｂに示すように、物品収納、または物品ピッキングの開始によって、蓋体固定手段１３４の固定ピン１３６で蓋体１４０を固定した状態で付勢手段１３０によって物品保管棚から先頭の物品収納区画１２２ａが突出した状態を示している。蓋体１４０を固定しているので、物品収納容器１４０が移動しても動くことはない。
したがって、物品保管棚から突出した唯一の物品収納区画１２２ａへと誤認することなく物品の収納、あるいは物品のピッキングを行うことができる。
【００２７】
次いで、先頭の物品収納区画１２２ａへの物品の投入、あるいは物品のピッキングを完了して作業者が完了信号を入力すると、図５Ｃに示す様に、物品収納容器１２０は、物品保管棚１０３へ収納状態に戻り、指定物品収納区画への物品の投入、あるいは物品のピッキングが完了する。
このように、蓋体固定手段を動作させて、図５Ａ、図５Ｂ、図５Ｃの順に作業を進めることで先頭の物品収納区画への作業を行うことができる。
【００２８】
図６は、図５で示したものと同様に物品保管装置の動作の他の例を説明する図である。
図６Ａは、仮想線で示す物品保管棚１０３に、物品収納容器１２０を完全に収納している状態を説明する図である。
物品収納容器１２０は、２個の物品収納区画１２２ａ、１２２ｂを有しており、それぞれの区画の間には区画壁１２４が存在し、２個の物品収納区画を区分している例を示している。
【００２９】
物品収納容器１２０の上面に蓋体１４０を載置している。蓋体１４０には、物品収納区画１２２ｂに対応した開口部１４２を有し、他の部分には開口部を有していない。本図は、物品の投入、ピッキングの動作前であって、付勢手段１３０は作動していない。また、蓋体固定手段１３４は固定ピンを本体に取り込んだ状態であって、物品収納容器上に載置した蓋体１４０は蓋体１４０と一体に移動する状態である。
【００３０】
図６Ｂに示すように、物品収納、または物品ピッキングの開始によって、付勢手段１３０が物品収納容器１２０を押し出すと、物品収納容器１２０は蓋体１４０を載置した状態で移動して先頭から２番目の物品収納区画１２２ｂが物品保管棚から突出した状態で停止する。
【００３１】
蓋体１４０は物品収納容器１２０の長手方向の両外壁面に接した側壁部１４０ａを有しているので、物品収納容器１２０が移動する際には、蓋体１４０は物品収納容器１２０上で位置ずれを生じたり落下することはなく、確実に先端の物品収納区画１２２ａの開口部を閉鎖し、先頭から２番目の物品収納区画１２２ｂのみに開口部１４２を形成することとなる。
したがって、一つの物品収納区画のみへの物品の投入、あるいは物品のピッキングが可能となるので、作業者が誤りなく確実な作業を行うことができる。
【００３２】
次いで、先頭から２番目の物品収納区画１２２ｂへの物品の投入、あるいは物品のピッキングを完了して作業者が完了信号を入力すると、図６Ｃに示す様に、物品収納容器１２０を、物品保管棚１０３に収納し、指定物品収納区画への物品の投入、あるいは物品のピッキングが完了する。
このように、蓋体固定手段を動作させて、図６Ａ、図６Ｂ、図６Ｃの順に作業を進めることで先頭から２番目の物品収納区画への作業を行うことができる。
【００３３】
以上の説明では、物品収納容器の一つの物品収納区画に対応した開口部を有する蓋体を設けることで、２個の物品収納区画のそれぞれへの物品の投入と、物品のピッキングのみを可能とする物品保管装置について説明を行った。
本発明の装置は１個の物品収納区画を有する装置と比べても設置面積等においては大差はなく、構造が簡単で、動作も単純であって、取り扱いが良好であるという特徴を有している。
【００３４】
また、以上で説明した蓋体に代えて先頭の物品収納区画を除き他のすべての物品収納区画に対応する開口部を個別に開閉可能な蓋体を設けても良い。あるいは、物品収納容器の各物品収納区画上を、先頭の物品収納区画を除きすべての位置の物品収納区画を１個ずつ開放する開口部を形成した蓋体を移動させる等の手段を採用することでも実現することができる。
【００３５】
本発明の物品保管装置の動作には、外部電源、付勢手段の駆動源が不可欠であるが、大災害が起こったような場合には、外部電源が途絶し、バックアップ電源も機能しなくなる事態が発生する可能性もある。本発明の物品保管装置では、このような事態が生じた場合にも対応できるように、付勢手段を解除することで、手動で任意の物品収納容器を引き出せるようにすることができるので、緊急時の物品のピッキングが可能となる。
【産業上の利用可能性】
【００３６】
本発明の物品保管装置は、それぞれの物品収納容器を複数の物品収納区画に分割すると共に、物品収納容器上に物品収納区画に対応した開口部を設けた蓋体を物品収納容器の上部に配置して、いずれか１個の物品収納区画のみへの物品の投入、およびピッキングを可能としたので、作業者が誤ることがない物品の投入および物品のピッキングが可能な物品保管装置を提供することができる。
【符号の説明】
【００３７】
１００・・・物品保管装置、１０３・・・物品保管棚、１０５・・・操作表示装置、１０７・・・入出力装置、１０９・・・物品容器、１１１・・・作業台、１１２・・・搬送台車、１１３・・・情報入力手段、１１５・・・下段、１２０・・・物品収納容器、１２０ａ・・・窓、１２２ａ，１２２ｂ・・・物品収納区画、１２４・・・区画壁、１２６・・・スライドレール、１２６ａ・・・アウターメンバー、１２６ｂ・・・インナーメンバー、１３０・・・付勢手段、１３２・・・スライダー、１３４・・・蓋体固定手段、１３５・・・空気圧付勢手段、１３６・・・固定ピン、１３８・・・磁石、１４０・・・蓋体、１４０ａ・・・側壁部、１４２・・・開口部、１４５・・・係合穴
【図１】
0005979105.tif 000002
【図２】
0005979105.tif 000003
【図３】
0005979105.tif 000004
【図４】
0005979105.tif 000005
【図５】
0005979105.tif 000006
【図６】
0005979105.tif 000007